(57)【要約】【課題】リフロー処理においてフラックス飛沫の軸受メタルの摺動面に対する付着を防止することができるリフロー式振動モータの提供。【解決手段】リフロー式振動モータは、モータケース２の一端側に固定された軸受メタル３から突出するモータ軸４に偏心錘５を取着した振動モータ本体１と、モータケース２の少なくとも前記他端側から偏心錘５までを取り囲む被覆容器２０と、モータケース２の他端側に固定された樹脂製端蓋３０から被覆容器２０の外へ延在し、被覆容器２０の横臥姿勢で配線基板上の電源給電パターンに設置固着するべき給電端子片８ａ，８ｂとを備え、樹脂製端蓋３０は被覆容器２０の開口２０ａに嵌合する塞ぎ止め部３１ｂを一体的に有する。【選択図】      図２
2010263740.tif 000002
【特許請求の範囲】
【請求項１】
モータケースの一端側に固定された軸受メタルから突出するモータ軸に偏心錘を取着して成る振動モータ本体と、前記モータケースの少なくとも他端側から前記偏心錘までを取り囲む被覆容器と、前記モータケースの開口を塞ぐ樹脂製端蓋から前記被覆容器の外へ延在し、前記被覆容器の横臥姿勢で配線基板上の電源給電パターンに設置固着するべき給電端子片とを備え、前記樹脂製端蓋は前記被覆容器の開口に嵌合する塞ぎ止め部を一体的に有することを特徴とするリフロー式振動モータ。
【請求項２】
請求項１に記載のリフロー式振動モータにおいて、前記樹脂製端蓋は前記塞ぎ止め部から一体的に起立して対応する前記モータケースの外面と前記被覆容器の内面との間に沿って差し込む差し込みガイド部を有することを特徴とするリフロー式振動モータ。
【請求項３】
請求項１又は請求項２に記載のリフロー式振動モータにおいて、前記樹脂製端蓋は、当該樹脂製端蓋を前記モータケースの開口に挿入した際に前記モータケースの周回段差に係合する掛止爪を一体的に有することを特徴とするリフロー式振動モータ。
【請求項４】
請求項１乃至請求項３のいずれか一項に記載のリフロー式振動モータにおいて、前記樹脂製端蓋は、前記塞ぎ止め部を前記被覆容器の開口に挿入した際に前記被覆容器に形設した掛止孔に係合する掛止爪を一体的に有することを特徴とするリフロー式振動モータ。
【請求項５】
請求項１乃至請求項４のいずれか一項に記載のリフロー式振動モータにおいて、前記被覆容器は、この開口とは反対の面側にモータ軸の偏心錘側の軸端を隙間を空けて受容する曲げ止め凹所を有することを特徴とするリフロー式振動モータ。
【請求項６】
請求項１乃至請求項５のいずれか一項に記載のリフロー式振動モータにおいて、前記被覆容器は金属製であって前記配線基板の固着強度用パターンに固着するべき固着代を有することを特徴とするリフロー式振動モータ。
【請求項７】
請求項１乃至請求項６のいずれか一項に記載のリフロー式振動モータにおいて、前記被覆容器が導電性であって無線アンテナとして利用することを特徴とするリフロー式振動モータ。
【発明の詳細な説明】
【技術分野】
【０００１】
本発明は、モータ本体から突出したモータ軸に偏心錘を取着した振動モータに関し、特に、リフロー処理で配線基板上に実装するに適したリフロー式振動モータに関する。
【背景技術】
【０００２】
従来、リフロー処理で配線基板上に面実装するに適したリフロー式振動モータの典型としては、モータ本体から突出したモータ軸に偏心錘を取着して成り、モータ本体を横臥姿勢で支持して配線基板に設けた切り欠き空部又は開口空部の中に陥没状態とする据付手段を備え、この据付手段は配線基板の片面側にあってモータケースの上に跨っており、また配線基板の片面であって切り欠き空部又は開口空部の脇に固定される一対の据え置き面をモータケースの両脇に有している。斯かるリフロー処理式の振動モータによれば、据付手段を自動機でピックアップして据え置き面を配線基板の切り欠き空部又は開口空部の脇に位置するクリーム半田塗布済みのパターン上に設置でき、配線基板を加熱炉に送り込むことでクリーム半田が溶融した後固化するので、据え置き面を半田固着できる。若しくはモータを配線基板上のクリーム半田塗布済みのパターン上にそのまま設置固定し、半田固着する構成もある。
【先行技術文献】
【特許文献】
【０００３】
【特許文献１】特開２００５−３１２２８２（図１）
【発明の概要】
【発明が解決しようとする課題】
【０００４】
上記リフロー式振動モータのリフロー処理において、加熱炉内で固着パターン上のクリーム半田が溶融する際、それに含まれるフラックスの飛散が発生し、その飛沫がモータ軸の軸受メタルの摺動面に付着してしまう現象を起し得る。斯かる場合、モータの短寿命化などの原因となり得る。配線基板上の１つの部品である振動モータだけにでも上記の不具合があれば、配線基板全体の交換も余儀無くされる。
【０００５】
そこで上記問題点に鑑み、本発明の課題は、リフロー処理においてフラックス飛沫の軸受メタルの摺動面に対する付着を防止することができるリフロー式振動モータを提供することにある。
【課題を解決するための手段】
【０００６】
本発明に係るリフロー振動モータは、モータケースの一端側に固定された軸受メタルから突出するモータ軸に偏心錘を取着して成る振動モータ本体と、モータケースの少なくとも他端側から偏心錘までを取り囲む被覆容器と、モータケースの開口を塞ぐ樹脂製端蓋から被覆容器外へ延在し、被覆容器の横臥姿勢で配線基板上の電源給電パターンに設置固着するべき給電端子片とを備え、樹脂製端蓋は被覆容器の開口に嵌合する塞ぎ止め部を一体的に有することを特徴とする。
【０００７】
このような被覆容器に覆われた振動モータにおいては、配線基板への自動実装とリフロー処理が可能であると共に、リフロー時のフラックス飛散に伴う飛沫が振動モータ本体に当るのを被覆容器で除けることができるから、振動モータ本体における軸受メタルの摺動面に対する付着を防止できる。また、被覆容器を振動モータ本体に被せる場合は、樹脂製端蓋に一体的に形成した塞ぎ止め部を被覆容器の開口に締まり嵌めするだけで済むため、取着のための別部品を必要とせず、また取り付け作業の容易化を図ることができる。
【０００８】
樹脂製端蓋は、塞ぎ止め部から一体的に起立して対応するモータケースの外面と被覆容器の内面との間に沿って差し込む差し込みガイド部を有することが望ましい。差し込み操作が容易となることは勿論、差し込みガイド部がモータケースと被覆容器との間のスペーサーとなるため、振動モータ本体を被覆容器内にガタ付きなく収めることができる。
【０００９】
樹脂製端蓋は塞ぎ止め部を被覆容器の開口に挿入した際に被覆容器に形設した掛止孔に係合する掛止爪を一体的に有することが望ましい。別部品を必要とせず、樹脂製端蓋からの被覆容器の抜け止めを確実化できる。また、樹脂製端蓋は、当該樹脂製端蓋をモータケースの開口に挿入した際にモータケースの周回段差に係合する掛止爪を一体的に有することが望ましい。
【００１０】
被覆容器はその開口とは反対の面側にモータ軸の偏心錘側の軸端を隙間を空けて受容する曲げ止め凹所を有する場合、偏心錘を持つモータ軸に衝撃発生時の強い曲げモーメントが加わっても、軸端がモータ軸の僅かな撓みだけで曲げ止め凹所に当り止まるため、モータ軸が塑性変形に至るような大きな屈曲状態を生じるのを防止でき、軸屈曲の耐衝撃性を大幅に向上できる。
【００１１】
被覆容器は金属製であって配線基板の固着強度用パターンに固着するべき固着代を設けることにより、リフロー式振動モータの配線基板に対する面実装強度を高めることができる。
【００１２】
なお、このような被覆容器に囲まれた振動モータが携帯電話機などの無線機器用の配線基板に実装される場合は、導電性の被覆容器自身を無線アンテナとして利用するのが望ましい。導電性の被覆容器が偏心錘を取り囲んでいるため、偏心錘の停止位置の如何や回転中においてもアンテナ特性の指向が変化せず、アンテナ機能を阻害しなくなるので、偏心錘を持つリフロー式振動モータをアンテナとして実用化できる。
【発明の効果】
【００１３】
本発明のリフロー式振動モータによれば、給電端子片におけるリフロー時のフラックス飛散に伴う飛沫を被覆容器で除けることができるから、その内部にある軸受メタルの摺動面に対する付着を防止できる。また、被覆容器を振動モータ本体に被せるときは、樹脂製端蓋に一体的に形成した塞ぎ止め部を挿入すれば済むため、取着ための別部品を必要とせず、また取り付け作業の容易化を図ることができる。
【図面の簡単な説明】
【００１４】
【図１】本発明の一実施例に係るリフロー式振動モータの外観を示す斜視図である。
【図２】（Ａ）は同リフロー式振動モータの縦断面図、（Ｂ）は同リフロー振動モータの底面図である。
【図３】同リフロー式振動モータの組立斜視図である。
【図４】同リフロー式振動モータの組立縦断面図である。
【発明を実施するための形態】
【００１５】
次に、本発明の実施形態を添付図面に基づいて説明する。
【００１６】
本例のリフロー式振動モータの外観は、図１に示す如く、実質的に角筒形状で金属性（導電性）の被覆容器２０と、この被覆容器２０の開口（筒口）２０ａ側を塞ぐ樹脂製端蓋３０と、この樹脂製端蓋３０の角形蓋本体３１に添接して一側面Ｓ側でＬ字状に折り曲った一対の給電端子片８ａ，８ｂとを有し、被覆容器２０の樹脂製端蓋３０とは反対面２１には後述する曲げ止め凹所Ｗを内側に持つ突起部２１ａが形成されている。給電端子片８ａ，８ｂは被覆容器２０の横臥姿勢で配線基板（図示せず）上の電源給電パターン（図示せず）に設置固着するべきものである。
【００１７】
この被覆容器２０内には、図２乃至図４に示す如く、振動モータ本体１が内蔵されている。この振動モータ本体１はブラシ付きマイクロモータで、円筒状金属製のモータケース２の一端側のバーリング部２ａ内に固定された軸受メタル３から突出するモータ軸４に重金属製の偏心錘５を取着して成る。モータ軸４の軸端４ａは偏心錘５から若干突出している。モータケース２の内周面にはアウターマグネットＭが接着されている。モータ軸４に挿入された積層コア６ａにはコイル６ｂが巻回されていると共に、モータ軸４に挿入された樹脂製の整流子ホルダ６ｃはワッシャー６ｄで整流子６ｅを輪留めして保持しており、電気火花防止用のバリスタ６ｆを担持し、これらがインナーロータを構成している。
【００１８】
樹脂製端蓋３０は、本来的には整流子６ｅに添接するブラシ７を保持して中継端子９ａ，９ｂが貫通すると共に、モータケース２の開口（筒口）２ｂ側を塞ぐものであるが、被覆容器２０の開口２０ａに嵌合して塞ぎ止めるための角形蓋本体３１を有する。この角形蓋本体３１はモータケース２の開口２ｂが嵌る周回溝３１ａを有し、この周回溝３１ａの内側部分がモータケース２の開口（筒口）２ｂ側を塞ぎ、その外側部分が被覆容器２０の開口２０ａに嵌合する塞ぎ止め部３１ｂとなっている。なお、１０は角形蓋本体３１が凹部に保持する軸受メタルである。
【００１９】
また、樹脂製端蓋３０は角形蓋本体３１の塞ぎ止め部３１ｂの一対の対角隅部から一体的に起立して対応するモータケース２の外面と被覆容器２０の一対の対角隅部の内面との間に沿って差し込む差し込みガイド部３２，３３を有する。各差し込みガイド部３２，３３の内面はモータケース２の外周面に接触し、各差し込みガイド部３２，３３の外面は被覆容器２０の対角角部の内面に接触する。なお、この差し込みガイド部３２，３３の外面側は多数の肉抜き部Ｑを設けて軽量化を図っている。差し込みガイド部３２，３３のそれぞれの先端部にはモータケース２の開口２ｂ側が周回溝３１ａに嵌った際にモータケース２のバーリング部２ａ側の周回段差２ｃに掛り止る内側掛止爪Ｋ（一方のみ図示）が庇状に形成されている。また、角形蓋本体３１はその側面に被覆容器２０に形設した一対の矩形掛止孔ｈに係合する外側掛止爪Ｆを有する。
【００２０】
中継端子９ａ，９ｂに半田付けされて角形蓋本体３１の底面に添って一側面Ｓで折り曲ったＬ形の給電端子片８ａ，８ｂは被覆容器２０の開口２０ａ側の切り欠き部２０ｂで露出し、被覆容器２０の一側面２０ｃと同一面レベルになっており、一側面２０ｃは配線基板（図示せず）の固着強度用パターン（図示せず）に固着するべき十分な固着代を有する。そして、開口２０ａに対する反対面２１には、軸端４ａを隙間Ｇを空けて受容する曲げ止め凹所Ｗが形成されている。
【００２１】
本例のリフロー振動モータは、被覆容器２０に覆われているため、配線基板への自動実装とリフロー処理が可能であると共に、リフロー時のフラックス飛散に伴う飛沫が振動モータ本体１に当るのを被覆容器２０で除けることができるから、振動モータ本体１における軸受メタル３の摺動面に対する付着を防止できる。また、被覆容器２０を振動モータ本体１に被せる場合は、樹脂製端蓋３０に一体的に形成した塞ぎ止め部３１ｂを被覆容器２０の開口２０ａに締まり嵌めするだけで済むため、取着のための別部品を必要とせず、また取り付け作業の容易化を図ることができる。
【００２２】
樹脂製端蓋３０は差し込みガイド部３２，３３を有しているため、差し込み操作が容易となることは勿論、差し込みガイド部３２，３３がモータケース２と被覆容器２０との間のスペーサーとなるため、振動モータ本体１を被覆容器２０内にガタ付きなく収めることができる。また、樹脂製端蓋３０は塞ぎ止め部３１ｂを開口２０ａに挿入した際に被覆容器２０に形設した掛止孔ｈ，ｈに係合する掛止爪Ｆ，Ｆを一体的に有しているため、別部品を必要とせず、樹脂製端蓋３０からの被覆容器２０の抜け止めを確実化できる。また、樹脂製端蓋３０は当該樹脂製端蓋３０をモータケース２の開口２ｂに挿入した際にモータケース２の周回段差２ｃに係合する掛止爪Ｋ，Ｋを一体的に有しているため、別部品を必要とせず、モータケース２からの被覆容器２０の抜け止めも確実化できる。
【００２３】
被覆容器２０は曲げ止め凹所Ｗを有するため、偏心錘５を持つモータ軸４に衝撃発生時の強い曲げモーメントが加わっても、軸端４ａがモータ軸４の僅かな撓みだけで曲げ止め凹所Ｗに当り止まるので、モータ軸４が塑性変形に至るような大きな屈曲状態を生じるのを防止でき、軸屈曲の耐衝撃性を大幅に向上できる。
【００２４】
被覆容器２０は金属製であってその一側面２０ｃ自身に配線基板の固着強度用パターンに固着するべき十分な固着代を有しているため、リフロー式振動モータの配線基板（図示せず）に対する面実装強度を高めることができる。
【００２５】
なお、このような被覆容器２０に囲まれた振動モータが携帯電話機などの無線機器用の配線基板に実装される場合は、導電性の被覆容器２０自身を無線アンテナとして利用することができる。導電性の被覆容器２０が偏心錘５を取り囲んでいるため、偏心錘５の停止位置の如何や回転中においてもアンテナ特性の指向が変化せず、アンテナ機能を阻害しなくなるので、偏心錘５を持つリフロー式振動モータをアンテナとして実用化できる。
【符号の説明】
【００２６】
１…振動モータ本体
２…モータケース
２ａ…バーリング部
２ｂ，２０ａ…開口（筒口）
２ｃ…周回段差
３，１０…軸受メタル
４…モータ軸
４ａ…軸端
５…偏心錘
６ａ…積層コア
６ｂ…コイル
６ｃ…整流子ホルダ
６ｄ…ワッシャー
６ｅ…整流子
６ｆ…バリスタ
７…ブラシ
８ａ，８ｂ…給電端子片
９ａ，９ｂ…中継端子
２０…被覆容器
２０ｂ…切り欠き部
２０ｃ…一側面
２１…反対面
２１ａ…突起部
３０…樹脂製端蓋
３１…角形蓋本体
３１ａ…周回溝
３１ｂ…塞ぎ止め部
３２，３３…差し込みガイド部
Ｆ…外側掛止爪
Ｇ…隙間
ｈ…矩形掛止孔
Ｋ…内側掛止爪
Ｍ…アウターマグネット
Ｑ…肉抜き部
Ｓ…一側面
Ｗ…曲げ止め凹所
【図１】
2010263740.tif 000003
【図２】
2010263740.tif 000004
【図３】
2010263740.tif 000005
【図４】
2010263740.tif 000006